(57)【特許請求の範囲】
【請求項１】
固定軸に巻取りドラムを回転自在に嵌挿し、その固定軸と巻取りドラムに亘ってスプリングを固定した巻取り装置と、
複数のスラットを連結したシャッターカーテンを備え、
前記最先端のスラットを巻取りドラムに連結したシャッター装置であって、
前記巻取りドラムは、外周面に軸方向に連続した蟻溝を有する筒状体の軸方向両端部にホイールを取付けた形状で、
前記筒状体の蟻溝に裏板が設けられ、その裏板に螺合したビスで最先端のスラットが筒状体に連結され、
前記裏板は、ビスが螺合する裏板本体と弾性部材を備え、その弾性部材によって裏板本体が蟻溝内面に押しつけ保持され、
前記スプリングの一端部は固定軸に固定され、このスプリングの他端部は、前記筒状体の蟻溝の底部にボルトで固定され、そのボルトは蟻溝内に収納されていることを特徴とするシャッター装置。
【請求項２】
固定軸に巻取りドラムを回転自在に嵌挿し、その固定軸と巻取りドラムに亘ってスプリングを固定した巻取り装置と、
複数のスラットを連結したシャッターカーテンを備え、
前記最先端のスラットを巻取りドラムに連結したシャッター装置であって、
前記巻取りドラムは、外周面に軸方向に連続した蟻溝を有する筒状体の軸方向両端部にホイールを取付けた形状で、
前記筒状体の蟻溝に裏板が設けられ、その裏板に螺合したビスで最先端のスラットが筒状体に連結され、
前記裏板は、ビスが螺合する裏板本体と弾性部材を備え、その弾性部材によって裏板本体が蟻溝内面に押しつけ保持され、
前記スプリングの一端部は固定軸に固定され、このスプリングの他端部は、一端部に向かう折り返し部を備え、この折り返し部が前記ホイールよりも外部に突出して筒状体の蟻溝に係止して固定されていることを特徴とするシャッター装置。
【発明の詳細な説明】
【０００１】
【発明の属する技術分野】
本発明は、サッシ窓の室外側や車庫の出入口等に取付けるシャッター装置に関する。
【０００２】
【従来の技術】
実公平５−４４４７８号公報に示す第１のシャッター装置が知られている。
この第１のシャッター装置は、固定軸に巻取りドラムを回転自在に嵌挿すると共に、固定軸と巻取りドラムに亘ってコイルスプリングを固定した巻取り装置と、複数のスラットを連結すると共に、最先端のスラットに吊り金具を連結したシャッターカーテンを備え、その吊り金具を巻取りドラムに固定したものである。
【０００３】
実公昭４９−２９３７９号公報に示す第２のシャッター装置が知られている。
この第２のシャッター装置は固定軸に巻取りドラムを回転自在に嵌挿すると共に、固定軸と巻取りドラムに亘ってコイルスプリングを固定し、シャッターカーテンを巻取りドラムに連結した形状である。
【０００４】
【発明が解決しようとする課題】
前記第１のシャッター装置は、巻取りドラムの外周面に蟻溝を形成し、この蟻溝に裏板を挿入すると共に、この裏板にビスを螺合することで吊り金具を巻取りドラムに連結しているので、その裏板を蟻溝の軸方向に位置決めする必要がある。
しかしながら、前述の裏板は蟻溝に摺動可能に挿入してあるだけのために、裏板を位置決めしてから吊り金具を連結するまでの間に固定軸とともに巻取りドラムが傾いたり、回転したりすると裏板が動いて位置がずれることがあり、再度位置決めすることになるので、その連結作業が面倒である。
【０００５】
前記第２のシャッター装置は、コイルスプリングの一端部を巻取りドラムの側面、つまりホイールにボルトで固定してあるので、ホイールを金属製としてコイルスプリングの支持強度を大きくしている。
このために、金属製の固定軸と金属製のホイールとの間に滑り易い部材を設けて固定軸に対してホイールを回転し易くしている。
【０００６】
そこで、本発明は前述の課題を解決できるようにしたシャッター装置を提供することを目的とする。
【０００７】
【課題を解決するための手段】
第１の発明は、固定軸に巻取りドラムを回転自在に嵌挿し、その固定軸と巻取りドラムに亘ってスプリングを固定した巻取り装置と、
複数のスラットを連結したシャッターカーテンを備え、
前記最先端のスラットを巻取りドラムに連結したシャッター装置であって、
前記巻取りドラムは、外周面に軸方向に連続した蟻溝を有する筒状体の軸方向両端部にホイールを取付けた形状で、
前記筒状体の蟻溝に裏板が設けられ、その裏板に螺合したビスで最先端のスラットが筒状体に連結され、
前記裏板は、ビスが螺合する裏板本体と弾性部材を備え、その弾性部材によって裏板本体が蟻溝内面に押しつけ保持され、
前記スプリングの一端部は固定軸に固定され、このスプリングの他端部は、前記筒状体の蟻溝の底部にボルトで固定され、そのボルトは蟻溝内に収納されていることを特徴とするシャッター装置である。
【０００８】
第２の発明は、固定軸に巻取りドラムを回転自在に嵌挿し、その固定軸と巻取りドラムに亘ってスプリングを固定した巻取り装置と、
複数のスラットを連結したシャッターカーテンを備え、
前記最先端のスラットを巻取りドラムに連結したシャッター装置であって、
前記巻取りドラムは、外周面に軸方向に連続した蟻溝を有する筒状体の軸方向両端部にホイールを取付けた形状で、
前記筒状体の蟻溝に裏板が設けられ、その裏板に螺合したビスで最先端のスラットが筒状体に連結され、
前記裏板は、ビスが螺合する裏板本体と弾性部材を備え、その弾性部材によって裏板本体が蟻溝内面に押しつけ保持され、
前記スプリングの一端部は固定軸に固定され、このスプリングの他端部は、一端部に向かう折り返し部を備え、この折り返し部が前記ホイールよりも外部に突出して筒状体の蟻溝に係止して固定されていることを特徴とするシャッター装置である。
【０００９】
【作  用】
第１の発明によれば、巻取りドラムの筒状体の蟻溝内に設けた裏板の裏板本体が弾性部材によって蟻溝内面に押しつけ保持されているから、巻取りドラムが傾むいたり、回転したりしても裏板が動くことがない。
したがって、裏板を一度位置決めすれば良いので、スラットを巻取りドラムに簡単に連結できる。
【００１０】
また、スプリングの他端部は巻取りドラムの筒状体の蟻溝の底部にボルトで固定されているので、その巻取りドラムのホイールはスプリングの支持強度等を考慮する必要がなく、そのホイールを樹脂製として固定軸に対してスムーズに回転し易くすることが可能である。
【００１１】
しかも蟻溝内にボルトが収納されるので、スラットを巻き取る時にボルトが邪魔にならない。
また、蟻溝は軸方向に連続しているので、巻取りドラムの筒状体をアルミ押出形材によって製作することが可能となる。
【００１２】
第２の発明によれば、巻取りドラムの筒状体の蟻溝内に設けた裏板の裏板本体が弾性部材によって蟻溝内面に押しつけ保持されているから、巻取りドラムが傾むいたり、回転したりしても裏板が動くことがない。
したがって、裏板を一度位置決めすれば良いので、スラットを巻取りドラムに簡単に連結できる。
【００１３】
また、スプリングの他端部は折り返し部を備え、その折り返し部が巻取りドラムの筒状体に形成した蟻溝に係止して固定されているので、前述した第１の発明と同様にホイールを樹脂製とすることが可能である。
しかも、スプリングの他端部の折り返し部を蟻溝に係止するだけであるから、スプリングの他端部を巻取りホイールに連結する作業が容易である。
【００１４】
【発明の実施の形態】
図１と図２に示すように、サッシ窓を形成するサッシ窓枠１の室外側にシャッター装置２が取付けてある。
前記シャッター装置２は巻取り装置１０とシャッターカーテン１１を備えている。
前記巻取り装置１０は、収納ケース１２内に固定した固定軸１３と、この固定軸１３に回転自在に嵌挿した巻取りドラム１４と、後述するスプリング１５を備えている。
前記シャッターカーテン１１は複数のスラット１６を連結したものである。
前記シャッターカーテン１１の最先端のスラット１６が巻取りドラム１４に連結されている。シャッターカーテン１１は収納ケース１２の下面に形成した開口部１７から下方に垂れ下り、ガイド１８に沿って上下移動自在にガイドされる。
前記ガイド１８はサッシ窓枠１を形成する縦枠３の室外側部にビス等で着脱自在に可能に取付けられる。
前記収納ケース１０は建物躯体４に取付けられ、サッシ窓枠１の上枠５よりも上方である。
【００１５】
前記巻取りドラム１４は図３に示すように、筒状体２０と一対のホイール２１を備え、その筒状体２０は外周面に複数の溝２２と蟻溝２３が周方向に間隔を置いて軸方向に連続して有する断面略円形のアルミ押出形材である。
前記ホイール２１は円形の端板２４の内側面に略円形の内側突起２５が一体的に設けてあると共に、その端板２４の外側面に小径の円形状の外側突起２６が一体的に設けてあり、内側突起２５、端板２４、外側突起２６に亘って固定軸挿通孔２７が連続して形成された樹脂製である。
前記内側突起２５の外周面寄りは不連続で小間隙２５ａを有する。
前記端板２４の外周縁寄りに切欠部２４ａが形成され、この切欠部２４ａと小間隙２５ａが軸方向に連続する。
【００１６】
図４に示すように筒状体２０の両端部にホイール２１の内側突起２５を嵌合することで各端板２４が筒状体２０の端面に接して巻取りドラム１４が組立てられる。
前記一対のホイール２１の固定軸挿通孔２７に亘って固定軸１３が挿通され、巻取りドラム１４は固定軸１３に対して回転可能に支承されると共に、割ピン１３ａで抜け止めする。
【００１７】
前記スプリング１５は図３に示すようにコイルスプリングで、そのスプリング１５内に固定軸１３が挿入され、スプリング１５は巻取りドラム１４内に設けられる。スプリング１５の一端部は固定軸１３に固定され、他端部が巻取りドラム１４に固定される。これにより巻取りドラム１４は固定軸１３に対してシャッターカーテン１１を巻き取る方向に回転付勢される。
【００１８】
次に最先端のスラット１６を巻取りドラム１４に連結する構造を説明する。
図１に示すように、筒状体２０の蟻溝２３に裏板３０を設け、この裏板３０にビス３１を螺合することで筒状体２０の外周面にスラット１６を連結する。
前記スラット１６は平板形状の中間部１６ａと、この中間部１６ａと一体的に連続した略の字形状の両端連結部１６ｂを有する断面形状で、その中間部１６ａが筒状体２０の蟻溝２３部分の外周面に接し、一方の連結部１６ｂが凹部２０ａに嵌まり込み、他方の連結部１６ｂが段差部２０ｂに接してスラット１６が筒状体２０の外周に沿って取付けてある。
このようであるから、シャッタースラット１１を巻取りドラム１４で巻き取った時の巻き取り径を小さくできる。
【００１９】
前記裏板３０は図５に示すように、裏板本体３２と弾性部材、例えば板ばね３３で形成してある。
その裏板本体３２は基板３４と一対の側片３５で略コ字形状で、基板３４と側片３５の境い部分にスリット形状の穴３６を有し、その基板３４にねじ穴３７が形成してある。具体的には一枚の板材を切断、折り曲げ加工すると共に、ねじ穴加工、穴加工して製作される。
板ばね３３は一対の側片３５間の寸法よりも長尺で、その長手方向両端縁に突片３３ａを有する。図６に示すように板ばね３３の突片３３ａを前記裏板本体３２の一対の穴３６に嵌め込むことで取付けられる。この板ばね３３は円孤形状に湾曲して側片３５（裏板本体３２）よりも突出する。
【００２０】
裏板３０を円筒体２０の蟻溝２３内に挿入することで板ばね３３が蟻溝２３の底面２３ａに接して裏板本体３２（基板３４）を蟻溝２３の開口縁内面２３ｂに押しつける。
これによって、裏板３０が蟻溝２３内に位置ずれしないように保持して設けられるので、巻取りドラム１４が傾むいたり、回転したりしても裏板３０が蟻溝２３内で動くことがない。
【００２１】
また、裏板本体３２を押して板ばね３２を変形することで裏板本体３２が蟻溝２３の開口縁内面２３ｂから離れ、その状態で裏板３０を蟻溝２３の軸方向に移動して位置決めすることができる。
しかも、板ばね３３は蟻溝２３の軸方向に向けて円弧状に湾曲しているので、前述のように裏板３０を蟻溝２３の軸方向にスムーズに移動できる。
【００２２】
前記板ばね３３を蟻溝２３の底面２３ａに押しつけしたが、板ばね３３を蟻溝２３の左右一方の縦面２３ｃに接して裏板本体３２を蟻溝２３の左右他方の縦面２３ｄに押しつけても良い。
また、板ばね３３の代りにコイルスプリング、天然ゴム、合成ゴムなどを用いても良い。
【００２３】
次にスプリング１５の固定について説明する。
図７と図８に示すように、スプリング１５の一端部１５ａは略円形状で、この一端部１５ａを挿通した長ボルト４０を固定軸１３の径方向に貫通してナット４１を螺合することでスプリング１５の一端部１５ａが固定軸１３に固定される。
スプリング１５の他端部１５ｂは略円形状で、筒状体２０の蟻溝２３の底部に接し、蟻溝２３の底部からボルト４２を他端部１５ｂに挿通すると共と、ナット４３を螺合することでスプリング１５の他端部１５ｂが筒状体２０に固定される。
【００２４】
次にスプリング１５の固定の第２の実施の形態を説明する。
図９と図１０に示すように、スプリング１５の一端部１５ａは長ボルト４０とナット４１で固定軸１３に前述と同様に固定される。
スプリング１５の他端部１５ｂは軸方向に向けて直線状に突出した突出部２８と直線状の折り返り部２９で略Ｕ字形状で、その突出部２８が図４に示すホイール２１の内側突起２５間の小間隙２５ａ及び端板２４の切欠部２４ａを通して図９、図１０に示すように外部に突出し、折り返し部２９が筒状体２０の蟻溝２３に係止して固定される。
【００２５】
前述のようにスプリング１５の他端部１５ｂを蟻溝２３に係止して固定する手順の一例を説明する。
スプリング１５の一端部１５ａを固定軸１３に固定する。
スプリング１５とともに固定軸１３を筒状体２０内に挿入することでスプリング１５の他端部１５ｂ（折り返し部２９）を筒状体２０の蟻溝２３に係止する。
固定軸１３にホイール２１を嵌め込み、その内側突起２５を筒状体２０に嵌合することで、小間隙２５ａ、切欠部２４ａとスプリング１５の他端部１５ｂ（突出部２８）が嵌まり合うようにしてスプリング１５の他端部１５ｂの外れ防止及び位置規制をする。
【００２６】
【発明の効果】
請求項１に係る発明によれば、巻取りドラムの筒状体の蟻溝内に設けた裏板の裏板本体が弾性部材によって蟻溝内面に押しつけ保持されているから、巻取りドラムが傾むいたり、回転したりしても裏板が動くことがない。
したがって、裏板を一度位置決めすれば良いので、スラットを巻取りドラムに簡単に連結できる。
【００２７】
また、スプリングの他端部は巻取りドラムの筒状体の蟻溝の底部にボルトで固定されているので、その巻取りドラムのホイールはスプリングの支持強度等を考慮する必要がなく、そのホイールを樹脂製として固定軸に対してスムーズに回転し易くすることが可能である。
【００２８】
また、蟻溝内にボルトが収納されるので、スラットを巻取る時にボルトが邪魔にならない。
また、蟻溝は軸方向に連続しているので、巻取りドラムの筒状体をアルミ押出形材によって製作することが可能となる。
【００２９】
請求項２に係る発明によれば、巻取りドラムの筒状体の蟻溝内に設けた裏板の裏板本体が弾性部材によって蟻溝内面に押しつけ保持されているから、巻取りドラムが傾むいたり、回転したりしても裏板が動くことがない。
したがって、裏板を一度位置決めすれば良いので、スラットを巻取りドラムに簡単に連結できる。
【００３０】
また、スプリングの他端部の折り返し部を巻取りドラムの筒状体に形成した蟻溝に係止して固定されているので、請求項１に係る発明と同様にホイールを樹脂製とすることが可能である。
しかも、スプリングの他端部の折り返し部を蟻溝に係止するだけであるから、スプリングの他端部を巻取りホイールに連結する作業が容易である。
【図面の簡単な説明】
【図１】シャッター装置の取付け状態を示す縦断面図である。
【図２】図１の横断面図である。
【図３】固定軸と巻取りドラムの分解斜視図である。
【図４】固定軸と巻取りドラムの組立状態の斜視図である。
【図５】裏板の分解斜視図である。
【図６】裏板の組立状態の斜視図である。
【図７】スプリング取付部の正面図である。
【図８】図７の右側面図である。
【図９】スプリング取付部の第２の実施の形態を示す正面図である。
【図１０】図９の右側面図である。
【符号の説明】
１０…巻取り装置、１１…シャッターカーテン、１３…固定軸、１４…巻取りドラム、１５…スプリング、１５ａ…一端部、１５ｂ…他端部、１６…スラット、２０…筒状体、２１…ホイール、２２…溝、２３…蟻溝、３０…裏板、３１…ビス、３２…裏板本体、３３…板ばね（弾性部材）、４２…ビス
【図１】
0003598497.tif 000002
【図２】
0003598497.tif 000003
【図３】
0003598497.tif 000004
【図４】
0003598497.tif 000005
【図５】
0003598497.tif 000006
【図６】
0003598497.tif 000007
【図７】
0003598497.tif 000008
【図８】
0003598497.tif 000009
【図９】
0003598497.tif 000010
【図１０】
0003598497.tif 000011